(57)【特許請求の範囲】
【請求項１】
複数の走査線と、前記複数の走査線に交差する複数のデータ線と、前記走査線と前記データ線の各交差に対応して設けられたトランジスタと、前記トランジスタに対応して設けられた画素電極とを有する電気光学装置の駆動回路であって、
前記走査線を選択する走査線駆動手段と、
前記走査線が選択された期間において、前記データ線を複数本毎にまとめたブロックを順次選択するブロック駆動手段と、
選択されたブロックに属する複数本のデータ線に対して画像信号を供給する画像信号供給手段と、
前記ブロックに属するデータ線に画像信号が供給される前に、当該ブロックの一端に位置するデータ線以外のデータ線を第１のプリチャージ信号線に接続する一方、当該ブロックの一端に位置するデータ線を前記第１のプリチャージ信号線とは異なる第２のプリチャージ信号線に接続するプリチャージ手段と
を具備することを特徴とする電気光学装置の駆動回路。
【請求項２】
複数の走査線と、前記複数の走査線に交差する複数のデータ線と、前記走査線と前記データ線の各交差に対応して設けられたトランジスタと、前記トランジスタに対応して設けられた画素電極とを有する電気光学装置の駆動回路であって、
前記走査線を選択する走査線駆動手段と、
前記走査線が選択された期間において、前記データ線を複数本毎にまとめたブロックを順次選択するブロック駆動手段と、
選択されたブロックに属する複数本のデータ線に対して画像信号を供給する画像信号供給手段と、
前記ブロックに属するデータ線に画像信号が供給される前に、当該ブロックの一端に位置するデータ線以外のデータ線を第１のプリチャージ電位に充電する一方、当該ブロックの一端に位置するデータ線を前記第１のプリチャージ電位とは異なる第２のプリチャージ電位に充電するプリチャージ手段と
を具備することを特徴とする電気光学装置の駆動回路。
【請求項３】
前記ブロック駆動手段による選択方向が前記各ブロックから見て前記一端の方向であれば、前記第２のプリチャージ電位は、前記第１のプリチャージ電位よりも絶対値で見て大きい一方、前記ブロック駆動手段による選択方向が前記各ブロックから見て前記一端の方向でなければ、前記第２のプリチャージ電位は、前記第１のプリチャージ電位よりも絶対値で見て小さい
ことを特徴とする請求項２記載の電気光学装置の駆動回路。
【請求項４】
前記プリチャージ手段は、前記各ブロックの選択前に、それぞれ一括して前記複数のデータ線に前記プリチャージ電位を充電することを特徴とする請求項２記載の電気光学装置の駆動回路。
【請求項５】
前記第１および第２のプリチャージ電位の極性を、それぞれ周期的に反転させることを特徴とする請求項２記載の電気光学装置の駆動回路。
【請求項６】
前記プリチャージ手段は、
前記ブロックの一端に位置するデータ線以外のデータ線を第１のプリチャージ電位に充電する第１の接続素子と、
前記ブロックの一端に位置するデータ線を前記第２のプリチャージ電位に充電する第２の接続素子とからなることを特徴とする請求項２記載の電気光学装置の駆動回路。
【請求項７】
前記第１および第２の接続素子は、同一基板上に形成された薄膜トランジスタであることを特徴とする請求項６記載の電気光学装置の駆動回路。
【請求項８】
前記第１および第２のプリチャージ電位は、前記画像信号の略白または略黒色に相当する電位であることを特徴とする請求項２記載の電気光学装置の駆動回路。
【請求項９】
複数の走査線と、前記複数の走査線に交差する複数のデータ線と、前記走査線と前記データ線の各交差に対応して設けられたトランジスタと、前記トランジスタに対応して設けられた画素電極とを有する電気光学装置の駆動回路であって、
前記走査線を選択する走査線駆動回路と、
前記走査線が選択された期間において、前記データ線を複数本毎にまとめたブロックを順次選択するシフトレジスタ回路と、
選択されたブロックに属する複数本のデータ線に対して画像信号をサンプリングして供給するサンプリング回路と、
ブロックが選択される前に、当該ブロックの一端に位置するデータ線以外のデータ線を第１のプリチャージ電位に充電する一方、当該ブロックの一端に位置するデータ線を前記第１のプリチャージ電位とは異なる第２のプリチャージ電位に充電するプリチャージ回路と
を具備することを特徴とする電気光学装置の駆動回路。
【請求項１０】
請求項１〜９のいずれかに記載の駆動回路により表示を行うことを特徴とする電気光学装置。
【請求項１１】
請求項１０記載の電気光学装置を表示部に用いたことを特徴とする電子機器。
【発明の詳細な説明】
【０００１】
【発明の属する技術分野】
本発明は、例えば、液晶表示装置などの電気光学装置に用いて好適な電気光学装置の駆動回路、電気光学装置、および、その電気光学装置を表示部に用いた電子機器に関する。
【０００２】
【従来の技術】
従来の電気光学装置、例えば、アクティブマトリクス型の液晶表示装置について、図７および図８を参照して説明する。
【０００３】
まず、図７に示されるように、従来の液晶表示装置は、液晶パネル１００’と、タイミング回路２００と、画像信号処理回路３００と、プリチャージ信号供給回路４３０とから構成される。このうち、タイミング回路２００は、各部で使用されるタイミング信号（必要に応じて後述する）を出力するものである。また、画像信号処理回路３００内部におけるシリアル−パラレル変換回路３０２は、一系統の画像信号ＶＩＤを入力すると、これをＮ相（図においてはＮ＝６）の画像信号に展開して出力するものである。ここで、画像信号をＮ相に展開する理由は、後述するサンプリング回路において、ＴＦＴに供給される画像信号の印加時間を長くして、サンプリング時間および充放電時間を十分に確保するためである。
【０００４】
一方、増幅・反転回路３０４は、反転が必要となるものを反転させて適宜、増幅してから、シリアル−パラレル変換された画像信号ＶＩＤ１〜ＶＩＤ６として液晶表示装置１００’に供給するものである。なお、反転するか否かについては、データ信号の印加方式が▲１▼走査線単位の極性反転であるか、▲２▼データ信号線単位の極性反転であるか、▲３▼画素単位の極性反転であるかに応じて定められ、その反転周期は、１水平走査期間またはドットクロック周期に設定される。ただし、この従来例においては説明の便宜上、▲１▼走査線単位の極性反転である場合を例にとって説明する。
【０００５】
また、プリチャージ信号供給回路４３０は、タイミング回路２００により指示されるタイミングにおいて、プリチャージ信号ＮＲＳを極性反転して液晶表示装置１００’に供給するものである。なお、ここでいう極性反転は、画像信号の振幅中心電位を基準電位として、その電圧レベルを交互に反転させることをいう。
【０００６】
次に、液晶表示装置１００’について説明する。この液晶表示装置１００’は、素子基板と対向基板とが間隙をもって対向し、この間隙に液晶が封入された構成となっている。ここで、素子基板と対向基板とは、石英基板や、ハードガラス等からなる。
【０００７】
このうち、素子基板にあっては、図８においてＸ方向に沿って平行に複数本の走査線１１２が配列して形成され、また、これと直交するＹ方向に沿って平行に複数本のデータ線１１４が形成されている。ここで、各データ線１１４は６本を単位としてブロック化されており、これらをブロックＢ１〜Ｂｎとし、以降説明の便宜上、一般的なデータ線を指摘する場合には、その符号を１１４として示すが、特定のデータ線を指摘する場合には、その符号を１１４ａ〜１１４ｆとして示すこととする。
【０００８】
そして、これらの走査線１１２とデータ線１１４との各交点においては、スイッチング素子として、例えば、各薄膜トランジスタ（Thin Film Transistor：以下、「ＴＦＴ」と称する）１１６のゲート電極が走査線１１２に接続される一方、ＴＦＴ１１６のソース電極がデータ線１１４に接続されるとともに、ＴＦＴ１１６のドレイン電極が画素電極１１８に接続されている。そして、各画素は、画素電極１１８と、対向基板に形成された共通電極と、これら両電極間に挟持された液晶とによって構成されて、走査線１１２とデータ線１１４との各交点において、マトリクス状に配列することとなる。なお、このほかに保持容量（図示省略）が各画素電極１１８に接続された状態で形成されている。
【０００９】
さて、走査線駆動回路１２０は、素子基板上に形成され、タイミング回路２００からのクロック信号ＣＬＹや、その反転クロック信号ＣＬＹINV、転送開始パルスＤＹ等に基づいて、パルス的な走査信号を各走査線１１２に対して順次出力するものである。詳細には、走査線駆動回路１２０は、垂直走査期間の最初に供給される転送開始パルスＤＹを、クロック信号ＣＬＹおよびその反転クロック信号ＣＬＹINVにしたがって順次シフトして走査線信号として出力し、これにより各走査線１１２を順次選択するものである。
【００１０】
一方、サンプリング回路１３０は、サンプリング用のスイッチ１３１を各データ線１１４の一端において、各データ線１１４毎に備えるものである。このスイッチ１３１は、同じく素子基板上に形成されたＴＦＴからなり、このスイッチ１３１のソース電極には、画像信号ＶＩＤ１〜ＶＩＤ６が入力されている。そして、ブロックＢ１のデータ線１１４ａ〜１１４ｆに接続された６個のスイッチ１３１のゲート電極は、サンプリング信号Ｓ１が供給される信号線に接続され、ブロックＢ２のデータ線１１４ａ〜１１４ｆに接続された６個のスイッチ１３１のゲート電極は、サンプリング信号Ｓ２が供給される信号線に接続され、以下同様に、ブロックＢｎのデータ線１１４ａ〜１１４ｆに接続された６個のスイッチ１３１のゲート電極は、サンプリング信号Ｓｎが供給される信号線に接続されている。ここで、サンプリング信号Ｓ１〜Ｓｎは、それぞれ水平有効表示期間内に画像信号ＶＩＤ１〜ＶＩＤ６をブロック毎にサンプリングするための信号である。
【００１１】
また、シフトレジスタ回路１４０は、同じく素子基板上に形成され、タイミング回路２００からのクロック信号ＣＬＸや、その反転クロック信号ＣＬＸINV、転送開始パルスＤＸ等に基づいて、サンプリング信号Ｓ１〜Ｓｎを順次出力するものである。詳細には、シフトレジスタ回路１４０は、水平走査期間の最初に供給される転送開始パルスＤＸを、クロック信号ＣＬＸおよびその反転クロック信号ＣＬＸINVにしたがって順次シフトするとともに、これらシフトした信号のパルス幅を隣接する信号同士で重ならないように狭めて、サンプリング信号Ｓ１〜Ｓｎとして順次出力するものである。
【００１２】
このような構成において、サンプリング信号Ｓ１が出力されると、ブロックＢ１に属する６本のデータ線１１４ａ〜１１４ｆには、それぞれ画像信号ＶＩＤ１〜ＶＩＤ６がサンプリングされて、これらの画像信号ＶＩＤ１〜ＶＩＤ６が現時点の選択走査線における６個の画素に、当該ＴＦＴ１１６によってそれぞれ書き込まれることとなる。
【００１３】
この後、サンプリング信号Ｓ２が出力されると、今度は、ブロックＢ２に属する６本のデータ線１１４ａ〜１１４ｆには、それぞれ画像信号ＶＩＤ１〜ＶＩＤ６がサンプリングされ、これらの画像信号ＶＩＤ１〜ＶＩＤ６がその時点の選択走査線における６個の画素に、当該ＴＦＴ１１６によってそれぞれ書き込まれることとなる。
【００１４】
以下同様にして、サンプリング信号Ｓ３、Ｓ４、……、Ｓｎが順次出力されると、ブロックＢ３、Ｂ４、……、Ｂｎに属する６本のデータ線１１４ａ〜１１４ｆには、それぞれ画像信号ＶＩＤ１〜ＶＩＤ６がサンプリングされ、これらの画像信号ＶＩＤ１〜ＶＩＤ６がその時点の選択走査線における６個の画素にそれぞれ書き込まれることとなる。そして、この後、次の走査線が選択されて、ブロックＢ１〜Ｂｎにおいて同様な書き込みが繰り返し実行されることとなる。
【００１５】
この駆動方式では、サンプリング回路１３０におけるスイッチ１３１を駆動制御するシフトレジスタ回路１４０の段数が、各データ線を点順次で駆動する方式と比較して１／６に低減される。さらに、シフトレジスタ回路１４０に供給すべきクロック信号ＣＬＸおよびその反転クロック信号ＣＬＸINVの周波数も１／６で済むので、段数の低減化と併せて低消費電力化も図られることとなる。
【００１６】
一方、上記表示装置においては、各データ線１１４は容量成分を有するため、スイッチ１３１によってサンプリングされた画像信号ＶＩＤ１〜ＶＩＤ６をＴＦＴ１１６によって画素に書き込むのに要する時間が長期化する傾向がある。これを解消するために、プリチャージ回路１６０’が設けられる。このプリチャージ回路１６０’は、スイッチ１６５を各データ線１１４の他端において各データ線１１４毎に備えるものである。このスイッチ１６５は同じく素子基板上に形成されたＴＦＴからなり、そのドレイン電極（またはソース電極）がデータ線１１４に接続され、そのソース電極（またはドレイン電極）がプリチャージ信号線ＮＲＳに接続されている。また、各スイッチ１６５のゲート電極は、プリチャージ駆動信号ＮＲＧが供給される信号線に接続されている。このプリチャージ駆動信号ＮＲＧは、サンプリング信号Ｓ１〜Ｓｎよりも先行するタイミングにおいて、すなわち、ある走査線の選択が終了してから次の走査線が選択されて画像信号がデータ線に印加されるまでの水平帰線期間において、「Ｈ」レベルとなるパルス的な信号である。このため、各データ線１１４は、各スイッチ１６５を介してプリチャージ信号線ＮＲＳの電位にプリチャージされた後、各スイッチ１３１のサンプリングによって画像信号ＶＩＤ１〜ＶＩＤ６の電位に遷移する。したがって、画像信号ＶＩＤ１〜ＶＩＤ６自体によるデータ線１１４の充放電量は小さくなるので、書き込みに要する時間が短縮化されることとなる。
【００１７】
【発明が解決しようとする課題】
しかしながら、複数同時駆動方式とプリチャージとを併用しても、各ブロックＢ１〜Ｂｎの境目において輝度ムラが、特に、中間調レベルで規則的パターンを表示させた場合に発生する、という問題が生じた。そこで、この輝度ムラの発生原理について、ブロックＢ１およびＢ２に着目し、規則パターンの一例として簡単なベタパターンを表示させる場合を例にとって説明する。この場合、ブロックＢ１に属するデータ線のうちブロックＢ２に隣接するデータ線１１４ｆに供給されるべき画像信号ＶＩＤ６と、ブロックＢ２に属するデータ線のうちブロックＢ１に隣接するデータ線１１４ａに供給されるべき画像信号ＶＩＤ１とは、それぞれ図９に示されるように同電位となる。なお、一般に、画像信号ＶＩＤ１〜ＶＩＤ６は、水平帰線期間において黒色に相当する電位に振られる。
【００１８】
また、図９に示す波形例は、プリーチャージ信号ＮＲＳの電位が、データ線１１４に印加される画像信号ＶＩＤ１〜ＶＩＤ６（図９では、ＶＩＤ１、ＶＩＤ６だけを示している）の極性と同一極性に設定され、かつ、走査線毎に極性反転する場合を示している。
【００１９】
図９に示す波形例にあっては、プリチャージ信号線ＮＲＳの電位は、電位変化が大きいところまで一端プリチャージするため、ノーマリホワイトモードであれば黒色に相当する電位（逆に、ノーマリブラックモードであれば白色に相当する電位）に設定されている。
【００２０】
さて、図９において  正極側のタイミングｔ１１に至ると、プリチャージ駆動信号ＮＲＧが「Ｈ」レベルとなる。このため、すべてのスイッチ１６５がオンとなるため、すべてのデータ線１１４はスイッチ１６５を介してプリチャージ信号ＮＲＳの電位にプリチャージされる。その後、プリチャージ駆動信号ＮＲＧが「Ｌ」レベルとなるが、すべてのデータ線は、その容量成分によりプリチャージ電位を維持する。
【００２１】
次に、タイミングｔ１２に至ると、サンプリング信号Ｓ１が「Ｈ」レベルに立ち上がる。このため、ブロックＢ１のデータ線１１４ｆにあっては、スイッチ１３１によって画像信号ＶＩＤ６がサンプリングされるため、データ線１１４ｆの電位は、それまで維持していたプリチャージ信号ＮＲＳの電位からサンプリングされた画像信号ＶＩＤ６に相当する電位となり、これが現時点において選択されている走査線のＴＦＴ１１６によって当該画素に書き込まれる。この後、サンプリング信号Ｓ１が「Ｌ」レベルに立ち下がる。
【００２２】
さらに、タイミングｔ１３に至ると、サンプリング信号Ｓ２が「Ｈ」レベルに立ち上がるため、ブロックＢ２のデータ線１１４ａにあっては、スイッチ１３１によって画像信号ＶＩＤ１がサンプリングされる。このため、ブロックＢ２のデータ線１１４ａの電位は、それまで維持していたプリチャージ信号ＮＲＳの電位から、サンプリングされた画像信号ＶＩＤ１の電位まで遷移する。これが現時点において選択されている走査線のＴＦＴ１１６によって当該画素に書き込まれる。
【００２３】
これに対し、ブロックＢ１に属するデータ線のうち、ブロックＢ２に隣接するデータ線１１４ｆについては、ブロックＢ２のデータ線１１４ａと容量的に結合しているため、ブロックＢ２のデータ線１１４ａの電位がプリチャージ電位ＮＲＳから画像信号ＶＩＤ１の電位まで遷移すると、すでに書き込みが終了しているにもかからわず、遷移の影響を受けて電位が変動することになる。
【００２４】
したがって、ブロックＢ１のデータ線１１４ｆに接続された画素のうち、現時点において選択された走査線にかかる画素は、本来の書込電位▲１▼に相当する濃度から、容量結合による変動分だけ変位した電位▲２▼に相当する濃度に変化することになる。このことは、負極側のタイミングｔ２１、ｔ２２、ｔ２３についても、さらに、現時点の選択走査線において他のブロックＢ２〜Ｂｎ−１についても、また、他の走査線を選択した場合でも同様である。
【００２５】
これに対して、各ブロックおける他のデータ線１１４ａ〜１１４ｅについては、隣接するブロックのデータ線１１４ａの電位遷移による影響を受けない（にくい）ので、これらのデータ線に接続された画素のうち、現時点において選択された走査線にかかる画素は本来の書込電位に相当する濃度を維持することになる。
【００２６】
よって、すべての画素に対して同一濃度の表示をしようとしても、あるブロックのデータ線１１４ｆに接続された画素の濃度と、それ以外のデータ線１１４ａ〜１１４ｅに接続された画素の濃度とに差が生じるので、結局、各ブロックＢ１〜Ｂｎの境目において輝度ムラが発生することとなる。
【００２７】
このような輝度ムラは、プリチャージ信号ＮＲＳを正負極毎に絶対値で異なるレベルとなるように設定すれば、例えば、正極側で白色に相当する電位に、負極側で黒色に相当する電位にそれぞれ設定すれば、正極側における画像信号のサンプリングでは黒側に、正極側における画像信号のサンプリングでは白側に、それぞれ書き込まれるので、両者の打ち消しによって、ある程度、解消することは可能である。しかし、この方法でも、ビデオ信号のレベルによって輝度ムラを完全に目立たなくする程度にまで解消することができないし、プリチャージ信号を印加してから本来のデータが書き込まれる間の短期間ではあるが、直流成分が印加されることになるので、液晶劣化を引き起こす原因にもなる。
【００２８】
本発明は、上述した事情に鑑みてなされたものであり、各ブロックの境目において発生する輝度ムラを目立たなくして、高い品質の表示が可能な電気光学装置の駆動回路、電気光学装置および電子機器を提供することを目的としている。
【００２９】
上記目的を達成するために本発明にあっては、複数の走査線と、前記複数の走査線に交差する複数のデータ線と、前記走査線と前記データ線の各交差に対応して設けられたトランジスタと、前記トランジスタに対応して設けられた画素電極とを有する電気光学装置の駆動回路であって、前記走査線を選択する走査線駆動手段と、前記走査線が選択された期間において、前記データ線を複数本毎にまとめたブロックを順次選択するブロック駆動手段と、選択されたブロックに属する複数本のデータ線に対して画像信号を供給する画像信号供給手段と、前記ブロックに属するデータ線に画像信号が供給される前に、当該ブロックの一端に位置するデータ線以外のデータ線を第１のプリチャージ信号線に接続する一方、当該ブロックの一端に位置するデータ線を前記第１のプリチャージ信号線とは異なる第２のプリチャージ信号線に接続するプリチャージ手段とを具備することを特徴とする。
【００３０】
一般に、複数のデータ線は画素を介して互いに容量的に結合しているが、同一ブロック内に属するデータ線同士においては、同タイミングでサンプリングが実行されるので、あるデータ線の電位遷移が他のデータ線の電位に影響を及ぼすことはない。しかし、異なるブロックに属するデータ線は、隣接ブロックに位置するデータ線がプリチャージ電位からサンプリングされた画像信号の電位まで遷移すると、その遷移によって本来の書込電位から変動する。これがブロック境目における輝度ムラの原因となる。
【００３１】
これに対し、本発明によれば、所定数のデータ線を第１のプリチャージ信号線に接続する一方、当該ブロックの前記所定数のデータ線以外のデータ線を前記第１のプリチャージ信号線とは異なる第２のプリチャージ信号線に接続するため、、輝度ムラが起こりやすい所定データ線に対してプリチャージ電位を変えることにより、輝度ムラを抑えることができる。
【００３２】
本発明は、複数の走査線と、複数のデータ線と、前記各走査線と前記各データ線に接続されたトランジスタと、前記トランジスタに接続された画素電極とを有する電気光学装置の駆動回路であって、前記走査線を順次選択する走査線駆動手段と、前記走査線が選択された期間において、前記データ線を複数本毎にまとめたブロックを順次選択するブロック駆動手段と、選択されたブロックに属する複数本のデータ線に対して画像信号を供給する画像信号供給手段と、前記ブロックに属するデータ線に画像信号が供給される前に、当該ブロックに属する所定数のデータ線を第１のプリチャージ電位で充電する一方、当該ブロックの前記所定数のデータ線以外のデータ線を前記第１のプリチャージ信号線とは異なる第２のプリチャージ電位で充電するプリチャージ手段とを具備することを特徴とする。
【００３３】
上述のように、ブロックに属する所定数のデータ線は第１のプリチャージ電位で充電される一方、当該ブロックの前記所定数のデータ線以外のデータ線は前記第１のプリチャージ信号線とは異なる第２のプリチャージ電位で充電されるため、輝度ムラの起こりやすいデータ線に対して異なるプリチャージ電位に充電することにより、輝度ムラを抑えることができる。
【００３４】
本発明は、複数の走査線と、前記複数の走査線に交差する複数のデータ線と、前記走査線と前記データ線の各交差に対応して設けられたトランジスタと、前記トランジスタに対応して設けられた画素電極とを有する電気光学装置の駆動回路であって、前記走査線を選択する走査線駆動手段と、前記走査線が選択された期間において、前記データ線を複数本毎にまとめたブロックを順次選択するブロック駆動手段と、選択されたブロックに属する複数本のデータ線に対して画像信号を供給する画像信号供給手段と、前記ブロックに属するデータ線に画像信号が供給される前に、当該ブロックの一端に位置するデータ線以外のデータ線を第１のプリチャージ電位に充電する一方、当該ブロックの一端に位置するデータ線を前記第１のプリチャージ電位とは異なる第２のプリチャージ電位に充電するプリチャージ手段とを具備することを特徴とする。
【００３５】
異なるブロックに属するデータ線、特に、ブロックの一端に位置するデータ線の電位は、隣接ブロックの他端部に位置するデータ線がプリチャージ電位からサンプリングされた画像信号の電位まで遷移すると、その遷移によって本来の書込電位から変動し、これがブロック境目における輝度ムラの原因となる。
【００３６】
これに対し、本発明によれば、ブロックの一端に位置するデータ線とそれ以外のデータ線とに対し、当該ブロックに属するデータ線へ書き込む前に、それぞれ異なる電位にプリチャージされるため、ブロック境目における輝度ムラを抑えることができる。
【００３７】
ここで、前記ブロック駆動手段による選択方向が前記各ブロックから見て前記一端の方向であれば、前記第２のプリチャージ電位は、前記第１のプリチャージ電位よりも絶対値で見て大きくする一方、前記ブロック駆動手段による選択方向が前記各ブロックから見て前記一端の方向でなければ、前記第２のプリチャージ電位は、前記第１のプリチャージ電位よりも絶対値で見て小さくすると、上記変動が小さくなるので、ブロック境目における輝度ムラを抑えることが可能となる。
【００３８】
また、前記プリチャージ手段は、前記各ブロックの選択前に、それぞれ一括して接続する構成と、ブロックの選択よりも所定の時間だけ先行したタイミングにおいて各ブロック毎に接続する構成とが考えられるが、簡略化の観点からすれば、前者の構成の方が有利である。
【００３９】
さらに、本発明においては、前記第１および第２のプリチャージ電位の極性を、それぞれ周期的に反転させることが望ましい。これにより、各画素に直流成分が印加されるのを防止することが可能となる。
【００４０】
ところで、本発明において、前記プリチャージ手段は、前記ブロックの一端に位置するデータ線以外のデータ線を第１のプリチャージ電位に接続する第１の接続素子と、前記ブロックの一端に位置するデータ線を前記第２のプリチャージ電位に接続する第２の接続素子とからなることが望ましい。
【００４１】
さらに、前記第１および第２の接続素子は、同一基板上に形成された薄膜トランジスタであることが望ましい。これにより、各回路の集積化が容易となるので、低コスト化や省スペース化等が図られることとなる。
【００４２】
また、本発明にあっては、複数の走査線と、前記複数の走査線に交差する複数のデータ線と、前記走査線と前記データ線の各交差に対応して設けられたトランジスタと、前記トランジスタに対応して設けられた画素電極とを有する電気光学装置の駆動回路であって、前記走査線を選択する走査線駆動回路と、前記走査線が選択された期間において、前記データ線を複数本毎にまとめたブロックを順次選択するシフトレジスタ回路と、選択されたブロックに属する複数本のデータ線に対して画像信号をサンプリングして供給するサンプリング回路と、ブロックが選択される前に、当該ブロックの一端に位置するデータ線以外のデータ線を第１のプリチャージ電位に充電する一方、当該ブロックの一端に位置するデータ線を前記第１のプリチャージ電位とは異なる第２のプリチャージ電位に充電するプリチャージ回路とを具備することを特徴とする。
【００４３】
さらに、本発明にかかる電気光学装置は、上記駆動回路により表示を行うことを特徴とし、また、本発明にかかる電子機器は、上記電気光学装置を表示部に用いたことを特徴としている。
【００４４】
【発明の実施の形態】
以下、本発明の実施形態について図面を参照して説明する。
【００４５】
＜液晶表示装置＞
まず、電気光学装置の一例として、第１実施形態にかかるアクティブ・マトリクス型の液晶表示装置について説明する。図１は、この液晶表示装置の全体構成を示すブロック図である。本実施形態にかかる液晶表示装置にあっては、上記輝度ムラを解消するために、タイミング回路２００により指示されるタイミングにおいて、プリチャージ信号ＮＲＳ１、ＮＲＳ２を極性反転して液晶表示装置１００に供給するプリチャージ信号供給回路４１０、４２０が備えられる点において図７に示す従来例と相違している。
【００４６】
さらに、液晶表示装置１００にあっては、プリチャージ回路１６０として、図８に示されるものに代えて、図２に示されるものが用いられる。
【００４７】
図２に示されるように、プリチャージ回路１６０は、ＴＦＴからなるスイッチ１６１、１６２を、各データ線１１４の他端において各データ線１１４毎に備えるものであり、画素電極１１８を駆動するＴＦＴ１１６と同一のプロセスによって上記素子基板上に形成される。ここで、ブロックＢ１を例にとって説明すれば、５個のスイッチ１６１の各ドレイン電極（またはソース電極）は、それぞれデータ線１１１ａ〜１１４ｅに接続され、各ソース電極（またはドレイン電極）がプリチャージ信号線ＮＲＳ１に接続されている一方、スイッチ１６２のドレイン電極（またはソース電極）は、データ線１１４ｆに接続され、そのソース電極（またはドレイン電極）がプリチャージ信号線ＮＲＳ２に接続されている。すなわち、各ブロックＢ１〜Ｂｎにおけるデータ線１１４ａ〜１１４ｆのうち、図において、データ線１１４ａ〜１１４ｅについては、それぞれスイッチ１６１を介してプリチャージ信号線ＮＲＳ１に接続されている一方、各ブロックＢ１〜Ｂｎにおけるデータ線１１４ａ〜１１４ｆのうち、ブロックの右端部に位置するデータ線１１４ｆについては、それぞれスイッチ１６２を介して、プリチャージ信号線ＮＲＳ２に接続されている。
【００４８】
そして、スイッチ１６１、１６２の各ゲート電極は、それぞれプリチャージ駆動信号ＮＲＧが供給される信号線に接続されている。したがって、プリチャージ駆動信号ＮＲＧが「Ｈ」レベルとなると、各ブロックＢ１〜Ｂｎのデータ線１１４ａ〜１１４ｅはプリチャージ信号ＮＲＳ１の電位に、各ブロックＢ１〜Ｂｎのデータ線１１４ｆはプリチャージ信号ＮＲＳ２の電位に、それぞれプリチャージされることとなる。
【００４９】
次に、この液晶表示装置における動作について説明する。図３は、各部の動作を説明するためのタイミングチャートであり、従来の技術で説明した図９に対応したものである。図３に示されるように、プリチャージ信号ＮＲＳ１の電位は、プリチャージ信号ＮＲＳ２の電位よりも絶対値で見て小さく、かつ、それらのレベルは、ノーマリホワイトモードでいえば略黒色に相当するレベルである。また、プリチャージ信号ＮＲＳ１、ＮＲＳ２は、それぞれ図１におけるプリチャージ信号供給回路４１０、４２０によって供給され、その極性は、タイミング回路２００によって画像信号ＶＩＤ１〜ＶＩＤ６（図３では、ＶＩＤ１、ＶＩＤ６だけを示している）に同期し、画像信号ＶＩＤ１〜ＶＩＤ６の極性と同一極性に設定され、かつ、走査線毎に極性反転される。
【００５０】
さて、図３において  正極側のタイミングｔ１１に至ると、プリチャージ駆動信号ＮＲＧが「Ｈ」レベルとなる。このため、すべてのスイッチ１６１、１６２がオンとなるため、各ブロックＢ１〜Ｂｎのデータ線１１４ａ〜１１４ｅはスイッチ１６１を介してプリチャージ信号ＮＲＳ１の電位に、ブロックＢ１〜Ｂｎのデータ線１１４ｆはスイッチ１６２を介してプリチャージ信号ＮＲＳ２の電位に、それぞれプリチャージされる。その後、プリチャージ駆動信号ＮＲＧが「Ｌ」レベルとなるが、すべてのデータ線は、その容量成分によりプリチャージ電位を維持する。
【００５１】
次に、タイミングｔ１２に至ると、サンプリング信号Ｓ１が「Ｈ」レベルに立ち上がる。このため、ブロックＢ１のデータ線１１４ｆにあっては、スイッチ１３１によって画像信号ＶＩＤ６がサンプリングされるため、データ線１１４ｆの電位は、それまで維持していたプリチャージ信号ＮＲＳ２の電位から画像信号ＶＩＤ６に相当する電位となり、これが現時点において選択されている走査線のＴＦＴ１１６によって当該画素に書き込まれる。この後、サンプリング信号Ｓ１が「Ｌ」レベルに立ち下がる。
【００５２】
さらに、タイミングｔ１３に至ると、サンプリング信号Ｓ２が「Ｈ」レベルに立ち上がるため、ブロックＢ２のデータ線１１４ａにあっては、スイッチ１３１によって画像信号ＶＩＤ１がサンプリングされる。このため、ブロックＢ２のデータ線１１４ａの電位は、それまで維持していたプリチャージ信号ＮＲＳ１の電位から、サンプリングされた画像信号ＶＩＤ１の電位まで遷移する。これが現時点において選択されている走査線のＴＦＴ１１６によって当該画素に書き込まれる。
【００５３】
ここで、ブロックＢ１に属するデータ線のうち、右端部に位置する（すなわち、ブロックＢ２に隣接する）データ線１１４ｆについては、ブロックＢ２のデータ線１１４ａと容量的に結合しているため、ブロックＢ２のデータ線１１４ａの電位がプリチャージ信号ＮＲＳ２の電位からサンプリングされた画像信号ＶＩＤ１の電位まで遷移すると、その遷移の影響を受けて電位が変動する。しかし、プリチャージ信号ＮＲＳ１の電位は、プリチャージ信号ＮＲＳ２の電位よりも絶対値で見て小さいので、プリチャージ信号ＮＲＳ１の電位から画像信号ＶＩＤ１の電位までの遷移による影響は、プリチャージ信号ＮＲＳ２の電位から画像信号ＶＩＤ１の電位までの遷移する場合と比較すると、少なく抑えられる。したがって、ブロックＢ１のデータ線１１４ｆの電位は、ブロックＢ２のデータ線１１４ａの電位が遷移しても、その遷移量が小さいので、その影響をほとんど受けずに、本来の書込電位に近い電位を維持することとなる。負極側のタイミングｔ２１、ｔ２２、ｔ２３では正極側のタイミングｔ１１、ｔ１２、ｔ１３と同様な動作が行われるから、負極側でも同様であり、さらに、現時点の選択走査線において他のブロックＢ２〜Ｂｎについても、また、他の走査線についても同様である。
【００５４】
このように、各ブロックＢ１〜Ｂｎの右端部に位置するデータ線１１４ｆは、本来の書込電位に近い電位を維持するので、各ブロックＢ１〜Ｂｎの境目における輝度ムラの発生が抑えられることとなる。
【００５５】
次に、プリチャージ信号ＮＲＳ１、ＮＲＳ２の電位について検討してみる。上述のように、あるブロックの右端部に位置するデータ線１１４ｆの電位は、それに隣接するデータ線１１４ａ、換言すれば、隣接ブロックの他端に位置するデータ線１１４ａの電位遷移によって変動するが、その変動量は、第１に、データ線１１４ａとの結合容量と、第２に、データ線１１４ａの電位遷移量とに依存する。このうち、データ線１１４との結合容量は動作時において一定とみなせる。また、データ線１１４ａの電位遷移量は、プリーチャージ信号ＮＲＳ１の電位と画像信号ＶＩＤ１の電位との差である。ここで、プリチャージ信号ＮＲＳ１の電位を正負極においてそれぞれ固定すると、データ線１１４ｆにおける変動量は、その隣接データ線１１４ａに供給すべき画像信号ＶＩＤ１のみに依存することとなる。
【００５６】
このため、データ線１１４ｆにおける変動量を小さくするためのプリチャージ信号ＮＲＳ２の電位は、理想的には、その隣接データ線１１４ａに供給すべき画像信号ＶＩＤ１に応じて設定すべきである。
【００５７】
しかし、プリチャージは、画像信号のサンプリングよりも先行するタイミングで実行されるので、プリチャージ信号ＮＲＳ２の電位を画像信号ＶＩＤ１に応じて設定するには、あるブロックに隣接するデータ線１１４ａに供給すべき画像信号ＶＩＤ１に基づいて、そのブロックに供給すべきプリチャージ信号ＮＲＳ２の電位を決定した後に、その決定の基礎となった画像信号ＶＩＤ１をそのブロックに隣接するブロックにおいてサンプリングする構成となる。このため、供給された画像信号ＶＩＤ１〜ＶＩＤ６に基づくリアルタイム表示はできないし、プリチャージ信号ＮＲＳ２の電位を画像信号ＶＩＤ１に基づいて決定した後、実際のサンプリングまで、画像信号ＶＩＤ１〜ＶＩＤ６をなんらかの形でバッファリングすることが必要となり、構成が複雑化する。
【００５８】
したがって、単に、各ブロックＢ１〜Ｂｎの境目に発生する輝度ムラを抑えるのであれば、灰色（中間調）に相当する画像信号の電位を書き込む場合に、その電位遷移による電位変動が最も少なくなるように、プリチャージ信号ＮＲＳ１の電位に対してプリチャージ信号ＮＲＳ２の電位を定めれば十分と考えられる。ただし、本発明において上記理想的な場合を排除する趣旨ではない。
【００５９】
ところで、上記実施形態にあっては、図４（ａ）に示されるように、各ブロックＢ１〜Ｂｎの右端部に位置するデータ線１１４ｆのみを、スイッチ１６２を介してプリチャージ信号線ＮＲＳ２に接続し、他のデータ線１１４ａ〜１１４ｅを、スイッチ１６１を介してプリチャージ信号線ＮＲＳ１に接続する構成としたが、これとは逆に、図４（ｃ）に示されるように、左端部に位置するデータ線１１４ａのみをプリチャージ信号線ＮＲＳ２に接続し、他のデータ線１１４ｂ〜１１４ｆをプリチャージ信号線ＮＲＳ１に接続する構成としても良い。すなわち、各ブロックの左右いずれか一端に位置するデータ線１１４ａまたは１１４ｆを、他のデータ線と異なる電位にてプリチャージする構成とすれば良い。ただし、この構成では、プリチャージ信号ＮＲＳ１の電位を、プリチャージＮＲＳ２の電位よりも絶対値で見て大きくする、あるいは、入れ替える必要がある。
【００６０】
このことはまた、上記実施形態において、各ブロックＢ１〜Ｂｎの選択方向を一方向に制限する必要がないことを意味する。すなわち、上記実施例の説明にあっては、ブロックＢ１、Ｂ２、……、Ｂｎというように右方向で選択する場合を例にとったが、これとは反対に、図４（ｂ）または図４（ｄ）に示されるように、ブロックＢｎ、Ｂ（ｎ−１）、……、Ｂ１というように左方向で選択する場合でも同様な構成で済むことを意味している。ただし、図４（ｂ）または図４（ｄ）にされる構成では、それぞれ図４（ａ）または図４（ｃ）に示される構成に対して、プリチャージ信号ＮＲＳ１、ＮＲＳ２における電位の大小関係を逆にする必要がある。
【００６１】
すなわち、ブロック選択方向が、各ブロックからみてプリチャージ信号ＮＲＳ２でプリチャージされるデータ線が位置する方向であれば、プリチャージ信号ＮＲＳ２の電位は、プリチャージ信号ＮＲＳ１の電位よりも絶対値で見て大きくし、反対に、ブロック選択方向が、各ブロックからみてプリチャージ信号ＮＲＳ２でプリチャージされるデータ線が位置する方向でなければ、プリチャージ信号ＮＲＳ２の電位は、プリチャージ信号ＮＲＳ１の電位よりも絶対値で見て小さくすれば良い。例えば、図４（ｂ）に示される例でいえば、プリチャージ信号ＮＲＳ２でプリチャージされるデータ線が位置する方向は、各ブロックからみて右方向であり、これは左方向であるブロック選択方向と同方向ではない。このため、プリチャージ信号ＮＲＳ２の電位は、プリチャージ信号ＮＲＳ１の電位よりも絶対値で見て小さく設定することとなる。
【００６２】
なお、このようにプリチャージ信号ＮＲＳ１、ＮＲＳ２における電位の大小関係を逆にするには、プリチャージ信号供給回路４１０、４２０に対して出力信号の振幅に変化を与える構成や、プリチャージ信号供給回路４１０、４２０の出力信号を入れ替えて供給する構成などが考えられる。
【００６３】
また、上述の説明では、各ブロックＢ１〜Ｂｎを順次選択するとともに、選択された１つのブロックに属する６本のデータ線１１４に対し、６相にシリアル−パラレル変換された画像信号ＶＩＤ１〜ＶＩＤ６を同時にサンプリングして供給する構成したが、このシリアル−パラレル変換の数および同時に供給するデータ線の数（すなわち、１つのブロックを構成するデータ線の数）は、「６」に限られるものではない。シリアル−パラレル変換の数および同時に印加するデータ線の数としては、カラーの画像信号が３つの原色に係る信号からなることとの関係から、３の倍数であることが制御や回路を簡易化する上で好ましい。このため、１つのブロックを構成するデータ線数を、３本や、１２本、２４本、……、等として、データ線に対して３相のシリアル−パラレル変換や、１２相のシリアル−パラレル変換展開、２４相のシリアル−パラレル変換等されて並列供給された画像信号を同時に供給するように構成しても良い。
【００６４】
＜電子機器＞
次に、上述した液晶表示装置１００を電子機器に用いた例のいくつかについて説明する。
【００６５】
＜その１：プロジェクタ＞
まず、この液晶表示装置をライトバルブとして用いたプロジェクタについて説明する。図５は、このプロジェクタの構成例を示す平面図である。
【００６６】
この図に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００６７】
液晶パネル１１１０Ｒ、１１１０Ｂおよび１１１０Ｇの構成は、上述した液晶表示装置１００と同等であり、図示しない画像信号処理回路から供給されるＲ、Ｇ、Ｂの原色信号でそれぞれ駆動される。さて、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００６８】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。すなわち、液晶パネル１１１０Ｇにおけるブロック選択方向は、液晶パネル１１１０Ｒ、１１１０Ｂにおけるブロック選択方向とは逆になるため、液晶パネル１１１０Ｇに供給されるプリチャージ信号ＮＲＳ１、ＮＲＳ２と、液晶パネル１１１０Ｇに供給されるプリチャージ信号ＮＲＳ１、ＮＲＳ２との大小関係は互いに逆の関係にある。
【００６９】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、対向基板にカラーフィルタを設ける必要はない。
【００７０】
＜その２：モバイル型コンピュータ＞
次に、この液晶表示装置を、モバイル型のコンピュータに適用した例について説明する。図６は、このコンピュータの構成を示す正面図である。図において、コンピュータ１２００は、キーボード１２０２を備えた本体部１２０４と、液晶ディスプレイ１２０６とから構成されている。この液晶ディスプレイ１２０６は、先に述べた液晶表示装置１００の背面にバックライトを付加することにより構成されている。
【００７１】
なお、図５および図６を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、携帯電話、テレビ電話、POS端末、タッチパネルを備えた装置等などが挙げられる。そして、本発明にかかるこれらの各種電子機器に適用可能なのは言うまでもない。
【００７２】
さらに、本発明は、アクティブマトリクス型液晶表示装置としてＴＦＴを用いたもの例にとって説明したが、これに限られず、スイッチング素子としてＴＦＤ（Thin Film Diode：薄膜ダイオード）を用いたものや、ＳＴＮ液晶を用いたパッシブ型液晶などにも適用可能であり、さらに、液晶表示装置に限られず、エレクトロ・ルミネッセンス素子など、各種の電気光学効果を用いて表示を行う表示装置にも適用可能である。
【００７３】
【発明の効果】
以上説明したように本発明によれば、各ブロックにおいて一端に位置するデータ線とそれ以外のデータ線とに対して、各ブロックに属するデータ線のサンプリング前に、それぞれ異なる電位でプリチャージすると、変動分が小さくなるので、ブロックの境目において発生する輝度ムラを目立たなくすることが可能となる。
【図面の簡単な説明】
【図１】  本発明の実施形態にかかる液晶表示装置の全体構成を示すブロック図である。
【図２】  同液晶表示装置における液晶表示装置の電気的構成を示すブロック図である。
【図３】  同液晶表示装置の動作を示すタイミングチャートである。
【図４】  （ａ）〜（ｄ）は、それぞれブロックの選択方向とブロック一端に位置するデータ線との各組合せにおけるプリチャージＮＲＳ１、ＮＲＳ２の大小関係を示す図である。
【図５】  同液晶表示装置を適用した電子機器の一例たる液晶プロジェクタの構成を示す断面図である。
【図６】  同液晶表示装置を適用した電子機器の一例たるパーソナルコンピュータの構成を示す正面図である。
【図７】  従来の液晶表示装置の全体構成を示すブロック図である。
【図８】  従来の液晶表示装置における液晶表示装置の電気的構成を示すブロック図である。
【図９】  従来の液晶表示装置の動作を示すタイミングチャートである。
【符号の説明】
１００……液晶表示装置
１１２……走査線
１１４ａ〜１１４ｆ……データ線
１１６……ＴＦＴ
１１８……画素電極
１２０……走査線駆動回路
１３０……サンプリング回路
１４０……シフトレジスタ回路
１６０……プリチャージ回路
１６１……スイッチ（第１の接続素子）
１６２……スイッチ（第２の接続素子）
【図１】
0003755323.tif 000002
【図２】
0003755323.tif 000003
【図３】
0003755323.tif 000004
【図４】
0003755323.tif 000005
【図５】
0003755323.tif 000006
【図６】
0003755323.tif 000007
【図７】
0003755323.tif 000008
【図８】
0003755323.tif 000009
【図９】
0003755323.tif 000010